(57)【要約】      （修正有）【課題】漏斗を使用するとき、その漏斗が容器などから倒れたりするのを防ぐために、ホルダーを漏斗に取り付けて、このホルダーで漏斗を容器に固定させることにより漏斗が容器から倒れるのを防止する、着脱自在のホルダー付き漏斗の提供。【解決手段】適度に硬く弾力性があり容易に破損しないなどの適宜な素材からなり、適宜な長さや大きさと形状からなるホルダーを、固定手段で、漏斗１の側面など適宜な場所に設け、このホルダーを容器などへ粘着させれば、漏斗１が転倒することを防止でき、手などを添える必要もなくなる。【選択図】図１
0003115485.tif 000002
【実用新案登録請求の範囲】
【請求項１】
適度に硬く弾力性があり容易に破損しない素材からなるホルダー６を固定手段で漏斗に設け、前記ホルダー６を容器などへ着脱自在となるようにした、
着脱自在のホルダー付き漏斗。
【請求項２】
前記漏斗を折りたためる構造にした、請求項１記載の、
着脱自在のホルダー付き漏斗
【考案の詳細な説明】
【技術分野】
【０００１】  本考案は、漏斗を使用するとき、その漏斗が容器などから倒れたりするのを防ぐために、ホルダーを漏斗に取り付けて、このホルダーで漏斗を容器に固定させることにより漏斗が容器から倒れるのを防止する着脱自在のホルダー付き漏斗、に関するものである。
【背景技術】
【０００２】（従来の技術）
従来漏斗は、図２に示すように円錐台形部分と漏斗足３からなるもので、容器などの口に差し込んで使用するものであった。
容器の口が細かったり又は細く且つ長かったり、あるいは図６に示すように容器の口が割れているような場合には、漏斗自体の安定性を保つため手を添えるなどのことをしていた。【０００３】（先願特許）
また、（１）食用油の使用済みペットボトルを使用済み食用油の回収容器として使用できるようにするための、ペットボトル専用の（取り外し式こし網・キャップホールダー・ふた付き）じょうご（特許文献１）、や（２）ペットボトルアダプターを利用しペットボトルに固定させるようにしたじょうご（特許文献２）、などの発明が知られている。
【特許文献１】  特許出願２０００−１７６１５７
【特許文献２】  特許出願２００２−２４９７６９
【考案の開示】
【考案が解決しようとする課題】
【０００４】（従来の技術の欠点や問題点）
従来漏斗は、図２に示すように円錐台形部分と漏斗足３からなるもので、容器などの口に差し込んで使用するものであった（以後、「容器に差し込む」という）。
容器の口が細かったり又は細く且つ長かったり、あるいは図６に示すように容器の口が割れているような場合には、漏斗自体の安定性を保つため手を添える必要があり、このため片方の手がふさがれてしまい不便であった。【０００５】（先願特許の欠点や問題点）
上記「０００３」で述べた先願特許は、いずれも漏斗自体が転倒しないようになっており、それなりに有用ではあるが、構造が複雑であること、また転倒防止の保持装置（部分）が例えばペットボトル用などと、特定の形状と大きさの容器にしか使用できないようになっており、いかなる形状と大きさの容器にも対応し使用できるといった汎用性のあるものではない、という欠点がある。
本考案は、これらの問題点を解決するためになされたものである。
【考案を解決するための手段】
【０００６】（本考案の概要）
図１は、本考案の、「着脱自在のホルダー付き漏斗１」の斜視図である。この図からもわかるように、本考案は漏斗１の側面に着脱自在の「ホルダー６」を設けていることを特徴とするものである。
さらにホルダー６自体の長さや大きさも必要に応じて設けることができるので、この「着脱自在のホルダー付き漏斗１」は、いかなる大きさの又いかなる形状の容器にも対応できることを特徴としている。
漏斗１自体もその使い捨て方式を念頭に置けば、当該漏斗１の素材は紙や柔軟なフィルム等の柔らかな素材で形成することにより、使用前には例えば図１０に示すように二つに折って保管しておき、使用時には図１に示すように円筒形にして使用する、という使い方ができる。例えば洗剤などの詰め替え用の袋に当該漏斗１を添付しておくのも当該折りたたみ式ホルダー付き漏斗１の使用方法である。
なお、本稿ではホルダー６を漏斗１の側面に左右２個設けることを前提に論を進めるが、装着するホルダー６の数や漏斗１上の装着位置を特定するものではない。
【０００７】（本考案での上下などの表現基準）
本論において「上（上部）」や「下（下部）」および「左」、「右」などは、特に断らない限り本案の各図面上での位置を基準にして述べるものとする。
【０００８】（ホルダーの構造と素材と機能：その１）
ホルダー６は漏斗１の側面２に少なくも２個設けることが望ましいが、その数を特定するものではない。図３は、ホルダー６の形状の一例を示す斜視図である。
形状を特定するものではないが、細長い帯状のものが望ましい。素材としては適度に硬く弾力性があり容易に破損しないものであれば、特にその素材を特定するものではない。
また、ホルダー６の長さや大きさなども必要に応じて形成すればよく、こうした長さや大きさを特定するものではない。
上部の接着面９は、漏斗１に接着させる部分である。図３に示すように、接着面９の裏面は接着剤塗布面１０となっており、ホルダーは、この部分の接着剤で漏斗１の側面に貼付けられることになる。
なお、本稿ではホルダー６を漏斗１に接着させることを例にして述べているが、ホルダー６の漏斗１への装着方法を特定するものではない。
下方のホルダーノリシロ１１の裏面には粘着剤塗布面１２を設け、使用前は剥離紙１３などでカバーしておく。使用する時は剥離紙１３を剥がし、ホルダーリシロ１１の部分を容器４の適宜なところに粘着させるのである。こうして漏斗１を安定させ、転倒することを防止するのである。
ここにおいても粘着方式で説明しているが、ホルダー６を容器に固定する方法について特定の方法に限定するものではない。
また、ホルダー６は、図１などに示すように、漏斗１の側面の左右に二枚設ければ十分であると思われる。
【０００９】（数回に亘って使用する場合のホルダーの構造）
ホルダー６が未使用の時には「０００８」で述べたようにホルダーノリシロ１１部分の裏面の粘着剤塗布面１２を剥離紙１３でカバーしておいてもよいが、数回にわたって使用する場合には、例えば以下に示すような方法にしておいた方がよい。（素材などは「０００８」で述べたと同じものを使用してもよい。）
図４がその形状の一例を示した斜視図である。ホルダー裏面８をコーティングしておき、ホルダーノリシロ１１部分を図４のように上に折り曲げて、粘着剤塗布面１２に粘着させておくのである。もちろんホルダー６の両面ともコーティングしておいてもよい。
使用時には、ホルダーノリシロ１１部分を粘着剤塗布面１２から剥がし、ホルダー６を容器４に貼付けるのである。漏斗１の使用が終わったら、図４に示すようにホルダーノリシロ１１部分を再度粘着剤塗布面１２に貼付けておくのである。剥離紙１３は従って使用しない。
ホルダー裏面８は、粘着剤を数次にわたり貼ったり剥がしたりしても毀損しない素材を用いればコーティングする必要はない。さらには、ホルダー６を数次の貼りはがしで毀損しないフィルム状などのもので作成しすれば、コーティングの必要はない。
【００１０】（ホルダーの構造と素材と機能：その２）
特にホルダー６の形状であるが、上記「０００８」や「０００９」で細長い帯状のものが望ましい、としたが、例えば丸いひも状のものでもよく、漏斗側面２などに接着剤などで設けて漏斗１をしっかりと容器４に固定できるものであればよく、その形状を特定するものではない。
また、ホルダーを設ける漏斗１上の場所をも特定するものではない。
【００１１】（漏斗の素材と製造方法）
漏斗１の素材も特定しない。ただ、使い捨てで詰め替え用の袋に添付して使用する漏斗１を念頭においた場合には、例えば紙やフィルムなどのように折りたためる程度にやわらかく、弾力性があり、しかも液体が漏れないような素材が望ましい。
漏斗１は、図１でいえば上部の円錐台形の部分と漏斗足３とを別々に作り、貼り合せるようにして作ってもよく、金型などを使用して図２のように一体加工して作ってもよい。
図５は、漏斗１の製法の一つの例を示している。即ち、上部の円錐台形部分と下部の漏斗足３部分とを別々に作り、漏斗足３を円錐台形部分に貼りあわせるなどして取り付け、さらに二本のホルダー（右側ホルダー１４および左側ホルダー１５）を漏斗側面２にそれぞれ貼付けて作る場合の構成斜視図である。またその完成すれば、図１のようになる。
【００１２】（使用方法）
本考案は以上の構成からなっており、その使用方法は以下のとおりで、一般の容器での使用状況の例を示しているのが図７で、洗剤などの容器にみられる、容器の口（注入口ガイド５）が細く長くかつ開いている（割れている）ものでの使用例が図８である。
なお、図９に示すように漏斗１を折りたたんで保管している場合には、
まず当該漏斗１の円錐台形部分および漏斗足３部分を、円筒形状に戻した後、以下の手順を踏む。
（１）使用方法１：粘着剤塗布面を剥離紙でカバーしている場合
まず漏斗足３を容器４の口（注入口ガイド５）の中に入れ、両方のホルダーの下端の剥離紙を剥がし、容器４の適宜なところに漏斗１が倒れないようにしっかりと貼り付ける。
使用が終わったら、ホルダー６を容器４から剥がし、漏斗１を容器４から抜き取り、使用済みの漏斗１を捨てる。
使い捨て方式にしない場合は、剥がした剥離紙１３を再度粘着剤塗布面１２に貼り直して粘着剤塗布面をカバーして保管して置く。
次回使用する場合は、上記と同様に剥離紙をはがし、漏斗１が転倒などしないようホルダー６を容器４に粘着させる。
なお、粘着剤塗布面１２の粘着力がなくなったら破棄する。
（２）使用方法２：ホルダーノリシロ１１部分を折り曲げておく場合
上記「０００９］で述べたように、ホルダー６の材質をフィルム状のものなどとした場合、ホルダー裏面８を粘着剤塗布面１２に貼付けたり剥がしたりしても、ホルダー６は容易に破損しないので、漏斗１を数次にわたって使用できる。
具体的な使用方法は、まず漏斗足３を容器４の口（注入口ガイド５）の中に入れ、両方のホルダーのホルダーノリシロ１１をホルダー６から剥がし、容器４の適宜なところに漏斗１が倒れないようにしっかりと貼り付ける。
使用が終わったら、ホルダー６を容器４から剥がし、ホルダーノリシロ１１部分を上に折ってホルダー６を粘着剤塗布面１２に貼付けて漏斗１を保管しておく。
次回使用するときは、上記と同じ方法を行う。なお、粘着剤塗布面１２の粘着力がなくなったら破棄する。
（３）使用方法３：洗剤などの詰め替え用袋に添付して使用する
洗剤などの詰め替え用の袋による容器４への詰め替え作業においては、その詰め替え中に溶液をこぼすことが多々発生するなど不便なことが多かった。
しかし本考案の漏斗１を詰め替え用袋に添付しておき、詰め替える際にはこの漏斗１を利用すれば、詰め替えも容易に行うことができ、溶液をこぼすこともなくなる。漏斗１は、図９に示すように二つに折りたたんだ状態で、詰め替え用袋に添付しておく。
使用に当たっては、
詰め替え用袋から漏斗１を剥ぎ取り、
二つに折ってあった漏斗１を漏斗状の円筒形に戻し、
漏斗１を容器４に挿入し、両方の左右のホルダー１４・１５を漏斗が転倒しないように容器４にしっかりと貼付ける。
その後、詰め替え用袋の口をあけ、溶液を漏斗１を使って容器４へ詰め替える。
使用後は漏斗１は破棄する。
なお、詰め替え用袋に添付する場合には、使い捨て型にしておくことが望まれる。
【考案の効果】
【００１３】（従来の問題点）
従来漏斗は、図２に示すように円錐台形部分と漏斗足３からなるもので、容器などに差し込んで使用するものであった。
容器の口が細かったり又は細く且つ長かったり、あるいは図６に示すように容器の口が割れているような場合には、漏斗自体の安定性を保つため手を添える必要があり、このため片方の手がふさがれてしまい不便であった。
洗剤などに関してはその容器は図７に示すような形状のものが多用されている。その特徴は、注入口が細く、また空気あなとして注入口のガイド５部分が開いている（割れている）形状のものが多く、さらに注入口は細い構造になっている。
注入口ガイド５が開いている（割れている）ため、漏斗１の円筒部分である漏斗足３が固定されず、詰め替えなどの作業中に漏斗１自体が倒れやすく、これを防ぐために漏斗１を手で保持しておかなければならない、などの不便さがあったなど、従来の欠点や問題点は「０００４」に詳述したとおりである。
【００１４】（先願特許の欠点や問題点）
上記「０００３」で述べた先願特許は、いずれも漏斗自体が転倒しないようになっており、それなりに有用ではあるが、構造が複雑であること、また転倒防止の保持装置（部分）が例えばペットボトル用などと、特定の形状と大きさの容器にしか使用できないようになっており、いかなる形状と大きさの容器にも使用できるといった汎用性のあるものではない、という欠点と問題点については「０００５」で述べたとおりである。
【００１５】（解決策とメリット）
本考案の漏斗１には、着脱自在のホルダー６が設けられている。使用する場合には漏斗１の漏斗足３部分を容器４に挿入した後、ホルダー６を容器４に粘着させることにより、漏斗１はあたかも容器４に固定されたかのごとくなり、手で支えなくとも漏斗１が転倒したりすることはない。
ホルダー６の長さや大きさなどは自在に決めることが出来るので、漏斗自体あるいは容器自体の大きさや形状をも選ぶことなく、いかなる形状の漏斗１や容器４にも対応することができる。
また、使い捨て方式でも複数回の使用に耐えるものなど、種々の使い方にも必要に応じ自在に対応することができる。
このような着脱自在のホルダー付き漏斗１は、例えば洗剤などの詰め替え用の容器（袋状のものが多い）に添付するようにしておけば、前もって漏斗１を購入して常備しておく必要もなく、使用後は破棄してしまう、いわゆる使い捨て型にしておくことも可能である。
使用法は「００１２」に記載したとおりである。
【考案を実施するための最良の形態】
【００１６】（本考案の概要）
図１は、本考案の、「着脱自在のホルダー付き漏斗１」の斜視図である。この図からもわかるように、本考案は漏斗１の側面に着脱自在の「ホルダー６」を設けていることを特徴とするものである。
さらにホルダー６自体の長さや大きさも必要に応じて設けることができるので、この「着脱自在のホルダー付き漏斗１」は、いかなる大きさの又いかなる形状の容器にも対応できることを特徴としている。
漏斗１自体もその使い捨て方式を念頭に置けば、当該漏斗１の素材は紙や柔軟なフィルム等の柔らかな素材で形成することにより、使用前には例えば図１０に示すように二つに折って保管しておき、使用時には図１に示すように円筒形にして使用する、という使い方ができる。例えば洗剤などの詰め替え用の袋に当該漏斗１を添付しておくのも当該折りたたみ式ホルダー付き漏斗１の使用方法である。
なお、本稿ではホルダー６を漏斗１の側面に左右２個設けることを前提に論を進めるが、装着するホルダー６の数や漏斗１上の装着位置を特定するものではない。【００１７】（本考案での上下などの表現基準）
本論において「上（上部）」や「下（下部）」および「左」、「右」などは、特に断らない限り本案の各図面上での位置を基準にして述べるものとする。【００１８】（ホルダーの構造と素材と機能：その１）
ホルダー６は漏斗１の側面２に少なくも２個設けることが望ましいが、その数を特定するものではない。図３は、ホルダー６の形状の一例を示す斜視図である。
形状を特定するものではないが、細長い帯状のものが望ましい。素材としては適度に硬く弾力性があり容易に破損しないものであれば、特にその素材を特定するものではない。
また、ホルダー６の長さや大きさなども必要に応じて形成すればよく、こうした長さや大きさを特定するものではない。
上部の接着面９は、漏斗１に接着させる部分である。図３に示すように、接着面９の裏面は接着剤塗布面１０となっており、ホルダーは、この部分の接着剤で漏斗１の側面に貼付けられることになる。
なお、本稿ではホルダー６を漏斗１に接着させることを例にして述べているが、ホルダー６の漏斗１への装着方法を特定するものではない。
下方のホルダーノリシロ１１の裏面には粘着剤塗布面１２を設け、使用前は剥離紙１３などでカバーしておく。使用する時は剥離紙１３を剥がし、ホルダーリシロ１１の部分を容器４の適宜なところに粘着させるのである。こうして漏斗１を安定させ、転倒することを防止するのである。
ここにおいても粘着方式で説明しているが、ホルダー６を容器に固定する方法について特定の方法に限定するものではない。
また、ホルダー６は、図１などに示すように、漏斗１の側面の左右に二枚設ければ十分であると思われる。【００１９】（数回に亘って使用する場合のホルダーの構造）
ホルダー６が未使用の時には「００１８」で述べたようにホルダーノリシロ１１部分の裏面の粘着剤塗布面１２を剥離紙１３でカバーしておいてもよいが、数回にわたって使用する場合には、例えば以下に示すような方法にしておいた方がよい。（素材などは「００１８」で述べたと同じものを使用してもよい。）
図４がその形状の一例を示した斜視図である。ホルダー裏面８をコーティングしておき、ホルダーノリシロ１１部分を図４のように上に折り曲げて、粘着剤塗布面１２に粘着させておくのである。もちろんホルダー６の両面ともコーティングしておいてもよい。
使用時には、ホルダーノリシロ１１部分を粘着剤塗布面１２から剥がし、ホルダー６を容器４に貼付けるのである。漏斗１の使用が終わったら、図４に示すようにホルダーノリシロ１１部分を再度粘着剤塗布面１２に貼付けておくのである。剥離紙１３は従って使用しない。
ホルダー裏面８は、粘着剤を数次にわたり貼ったり剥がしたりしても毀損しない素材を用いればコーティングする必要はない。さらには、ホルダー６を数次の貼りはがしで毀損しないフィルム状などのもので作成しすれば、コーティングの必要はない。【００２０】（ホルダーの構造と素材と機能：その２）
特にホルダー６の形状であるが、上記「００１８」や「００１９」で細長い帯状のものが望ましい、としたが、例えば丸いひも状のものでもよく、漏斗側面２などに接着剤などで設けて漏斗１をしっかりと容器４に固定できるものであればよく、その形状を特定するものではない。
また、ホルダーを設ける漏斗１上の場所をも特定するものではない。【００２１】（漏斗の素材と製造方法）
漏斗１の素材も特定しない。ただ、使い捨てで詰め替え用の袋に添付して使用する漏斗１を念頭においた場合には、例えば紙やフィルムなどのように折りたためる程度にやわらかく、弾力性があり、しかも液体が漏れないような素材が望ましい。
漏斗１は、図１でいえば上部の円錐台形の部分と漏斗足３とを別々に作り、貼り合せるようにして作ってもよく、金型などを使用して図２のように一体加工して作ってもよい。
図５は、漏斗１の製法の一つの例を示している。即ち、上部の円錐台形部分と下部の漏斗足３部分とを別々に作り、漏斗足３を円錐台形部分に貼りあわせるなどして取り付け、さらに二本のホルダー（右側ホルダー１４および左側ホルダー１５）を漏斗側面２にそれぞれ貼付けて作る場合の構成斜視図である。またその完成すれば、図１のようになる。【００２２】（使用方法）
本考案は以上の構成からなっており、その使用方法は以下のとおりで、一般の容器での使用状況の例を示しているのが図７で、洗剤などの容器にみられる、容器の口（注入口ガイド５）が細く長くかつ開いている（割れている）ものでの使用例が図８である。
なお、図９に示すように漏斗１を折りたたんで保管している場合には、
まず当該漏斗１の円錐台形部分および漏斗足３部分を、円筒形状に戻した後、以下の手順を踏む。
（１）使用方法１：粘着剤塗布面を剥離紙でカバーしている場合
まず漏斗足３を容器４の口（注入口ガイド５）の中に入れ、両方のホルダーの下端の剥離紙を剥がし、容器４の適宜なところに漏斗１が倒れないようにしっかりと貼り付ける。
使用が終わったら、ホルダー６を容器４から剥がし、漏斗１を容器４から抜き取り、使用済みの漏斗１を捨てる。
使い捨て方式にしない場合は、剥がした剥離紙１３を再度粘着剤塗布面１２に貼り直して粘着剤塗布面をカバーして保管して置く。
次回使用する場合は、上記と同様に剥離紙をはがし、漏斗１が転倒などしないようホルダー６を容器４に粘着させる。
なお、粘着剤塗布面１２の粘着力がなくなったら破棄する。
（２）使用方法２．ホルダーノリシロ１１部分を折り曲げておく場合
上記「００１９」で述べたように、ホルダー６の材質をフィルム状のものなどとした場合、ホルダー裏面８を粘着剤塗布面１２に貼付けたり剥がしたりしても、ホルダー６は容易に破損しないので、漏斗１を数次にわたって使用できる。
具体的な使用方法は、まず漏斗足３を容器４の口（注入口ガイド５）の中に入れ、両方のホルダーのホルダーノリシロ１１をホルダー６から剥がし、容器４の適宜なところに漏斗１が倒れないようにしっかりと貼り付ける。
使用が終わったら、ホルダー６を容器４から剥がし、ホルダーノリシロ１１部分を上に折ってホルダー６を粘着剤塗布面１２に貼付けて漏斗１を保管しておく。
次回使用するときは、上記と同じ方法を行う。なお、粘着剤塗布面１２の粘着力がなくなったら破棄する。
（３）使用方法３：洗剤などの詰め替え用袋に添付して使用する
洗剤などの詰め替え用の袋による容器４への詰め替え作業においては、その詰め替え中に溶液をこぼすことが多々発生するなど不便なことが多かった。
しかし本考案の漏斗１を詰め替え用袋に添付しておき、詰め替える際にはこの漏斗１を利用すれば、詰め替えも容易に行うことができ、溶液をこぼすこともなくなる。漏斗１は、図９に示すように二つに折りたたんだ状態で、詰め替え用袋に添付しておく。
使用に当たっては、
詰め替え用袋から漏斗１を剥ぎ取り、
二つに折ってあった漏斗１を漏斗状の円筒形に戻し、
漏斗１を容器４に挿入し、両方の左右のホルダー１４・１５を漏斗が転倒しないように容器４にしっかりと貼付ける。
その後、詰め替え用袋の口をあけ、溶液を漏斗１を使って容器４へ詰め替える。
使用後は漏斗１は破棄する。
なお、詰め替え用袋に添付する場合には、使い捨て型にしておくことが望まれる。
【図面の簡単な説明】
【００２３】
【図１】ホルダー付き漏斗の斜視図
【図２】従来の漏斗正面断面図漏斗の構成斜視図
【図３】ホルダーの構成を示す斜視図
【図４】別の形のホルダーの一例を示す斜視図
【図５】漏斗を円錐台形部分と漏斗足部分とに分けて製造する場合の構成斜視図
【図６】洗剤などの容器の一例を示す斜視図
【図７】一般の容器に本考案の漏斗を装着した斜視図
【図８】洗剤などの容器に本考案の漏斗を装着した斜視図
【図９】漏斗を二つに折りたたんだ状態を示す正面図
【符号の説明】
【００２４】        １    漏斗                          ９    接着面
２    漏斗側面                      １０  接着剤塗布面
３    漏斗足                        １１  ホルダーノリシロ
４    容器                          １２  粘着剤塗布面
５    注入口ガイド                  １３  剥離紙
６    ホルダー                      １４  右側ホルダー
７    ホルダー表面                  １５  左側ホルダー
８    ホルダー裏面                  １６  漏斗足ノリシロ
【図１】
0003115485.tif 000003
【図２】
0003115485.tif 000004
【図３】
0003115485.tif 000005
【図４】
0003115485.tif 000006
【図５】
0003115485.tif 000007
【図６】
0003115485.tif 000008
【図７】
0003115485.tif 000009
【図８】
0003115485.tif 000010
【図９】
0003115485.tif 000011
【手続補正書】
【提出日】平成17年7月20日(2005.7.20)
【手続補正１】
【補正対象書類名】実用新案登録請求の範囲
【補正対象項目名】全文
【補正方法】変更
【補正の内容】
【実用新案登録請求の範囲】
【請求項１】
適度に硬く弾力性があり容易に破損しない素材からなるホルダー６を固定手段で漏斗に設け、前記ホルダー６を容器などへ着脱自在となるようにした、着脱自在のホルダー付き漏斗